(57)【要約】【課題】再生する楽曲を選択する煩わしさを解消することができる楽曲選曲装置を提供する。【解決手段】複数の携帯端末２０と通信し、各携帯端末２０に記憶された楽曲のリスト３２を取得し、当該リスト３２の中から再生する楽曲を順次選曲して再生手段に再生させる楽曲選曲装置において、携帯端末２０のそれぞれの所有者情報３３を取得し、いずれかの所有者情報３３に基づいて、当該所有者情報３３に合う楽曲を各携帯端末２０のリスト３２から抽出して選曲する。【選択図】図７
2012163609.tif 000002
【特許請求の範囲】
【請求項１】
複数の携帯端末と通信し、各携帯端末に記憶された楽曲のリストを取得し、当該リストの中から再生する楽曲を順次選曲して再生手段に再生させる楽曲選曲装置において、
前記携帯端末のそれぞれの所有者情報を取得し、いずれかの所有者情報に基づいて、当該所有者情報に合う楽曲を各携帯端末のリストから抽出して選曲することを特徴とする楽曲選曲装置。
【請求項２】
前記所有者情報を、前記携帯端末との通信確立時に前記携帯端末から取得することを特徴とする請求項１に記載の楽曲選曲装置。
【請求項３】
車両に搭載され、当該車両に搭乗する複数の搭乗者のそれぞれが所有する携帯端末と通信し、各携帯端末に記憶された楽曲のリストを取得して、当該リストの中から再生する楽曲を順次選曲し、再生手段に再生させる楽曲選曲装置において、
前記車両の居室を前部座席ゾーンと後部座席ゾーンとに区分けして、前記搭乗者の情報を各搭乗者が搭乗するゾーンに対応付けて記憶し、各ゾーンの搭乗者の情報に基づいて、当該ゾーンの搭乗者情報に合う楽曲を各携帯端末のリストから抽出して選曲することを特徴とする楽曲選曲装置。
【請求項４】
抽出して選曲した楽曲を、当該楽曲を記憶している前記携帯端末に再生させることを特徴とする請求項１乃至３のいずれか一項に記載の楽曲選曲装置。
【発明の詳細な説明】
【技術分野】
【０００１】
本発明は、複数の携帯端末と通信し、各携帯端末に記憶された楽曲の中から再生する楽曲を選曲する楽曲選曲装置に関する。
【背景技術】
【０００２】
従来、同一居室内にいる複数の人のそれぞれが所有する携帯端末に有線接続或いは無線接続されて通信し、各携帯端末に記憶された楽曲のリストを取得し、このリストの中から再生する楽曲を選曲して再生手段に再生させることができる楽曲選曲装置が知られている（例えば、特許文献１参照）。この種の楽曲選曲装置においては、各携帯端末に記憶された楽曲のリストを集約した全楽曲リストを表示部に表示して、この全楽曲リストの中から再生を望む楽曲を選曲者が選択することが可能に構成されている。
【先行技術文献】
【特許文献】
【０００３】
【特許文献１】特開２００９−８９４７５号公報
【発明の概要】
【発明が解決しようとする課題】
【０００４】
しかしながら、同一居室内にいる複数の人のそれぞれが所有する携帯端末に記憶された楽曲の中には、他の人にとって知らない曲、或いは、他の人が再生を望まない曲が存在することがあり、選曲者は、選択対象の楽曲が、各携帯端末の所有者の再生を望む楽曲か否かを判断するのが困難であった。また、選曲者は、再生する楽曲を選曲する操作を行う必要があり、利便性が悪かった。
本発明は、上述した従来の技術が有する課題を解消し、再生する楽曲を選択する煩わしさを解消することができる楽曲選曲装置を提供することを目的とする。
【課題を解決するための手段】
【０００５】
上記目的を達成するために、本発明は、複数の携帯端末と通信し、各携帯端末に記憶された楽曲のリストを取得し、当該リストの中から再生する楽曲を順次選曲して再生手段に再生させる楽曲選曲装置において、前記携帯端末のそれぞれの所有者情報を取得し、いずれかの所有者情報に基づいて、当該所有者情報に合う楽曲を各携帯端末のリストから抽出して選曲することを特徴とする。
【０００６】
この構成において、前記所有者情報を、前記携帯端末との通信確立時に前記携帯端末から取得する構成としても良い。
【０００７】
また、本発明は、車両に搭載され、当該車両に搭乗する複数の搭乗者のそれぞれが所有する携帯端末と通信し、各携帯端末に記憶された楽曲のリストを取得して、当該リストの中から再生する楽曲を順次選曲し、再生手段に再生させる楽曲選曲装置において、前記車両の居室を前部座席ゾーンと後部座席ゾーンとに区分けして、前記搭乗者の情報を各搭乗者が搭乗するゾーンに対応付けて記憶し、各ゾーンの搭乗者の情報に基づいて、当該ゾーンの搭乗者情報に合う楽曲を各携帯端末のリストから抽出して選曲することを特徴とする。
【０００８】
この構成において、抽出して選曲した楽曲を、当該楽曲を記憶している前記携帯端末に再生させる構成としても良い。
【発明の効果】
【０００９】
本発明によれば、複数の携帯端末と通信し、各携帯端末に記憶された楽曲のリストを取得し、当該リストの中から再生する楽曲を順次選曲して再生手段に再生させる楽曲選曲装置において、携帯端末のそれぞれの所有者情報を取得し、いずれかの所有者情報に基づいて、当該所有者情報に合う楽曲を各携帯端末のリストから抽出して選曲するため、いずれかの所有者が各所有者の趣向に合った楽曲を各携帯端末の楽曲のリストから選曲するという煩わしい作業を省略して、各所有者の趣向に合った楽曲を抽出して選曲することができ、楽曲選曲装置の利便性を向上させることができるという効果を奏する。
【図面の簡単な説明】
【００１０】
【図１】本実施形態の楽曲選曲装置の概略構成を示すブロック図である。
【図２】携帯端末の概略構成を示すブロック図である。
【図３】楽曲リストの構成を模式的に示す図である。
【図４】所有者情報の構成を模式的に示す図である。
【図５】楽曲選曲装置の動作を示すフローチャートである。
【図６】全楽曲リストの構成を模式的に示す図である。
【図７】全楽曲リストと再生リストを模式的に示す図である。
【図８】別の実施形態の楽曲選曲装置の概略構成を示すブロック図である。
【図９】全楽曲リストと、各ゾーンの再生リストを模式的に示す図である。
【発明を実施するための形態】
【００１１】
以下、図面を参照して本発明の実施形態について説明する。
＜第一実施形態＞
図１は、本発明を適用した実施形態に係る楽曲選曲装置１の概略構成を示すブロック図である。楽曲選曲装置１は、音声出力部１１から楽曲等の音声を出力することができるオーディオ装置であり、室内オーディオ装置や、車両に搭載してカーオーディオ装置として使用することができる。
楽曲選曲装置１は、同一居室内にいる複数の人のそれぞれが所有する携帯端末２０Ｘ，２０Ｙ・・・２０Ｚと有線接続或いは無線接続を介して通信可能に構成されている。楽曲選曲装置１は、携帯端末２０との通信が確立された際には、携帯端末２０に記憶される複数の楽曲データの楽曲リストを取得して、この楽曲データに係る楽曲を携帯端末２０に再生させて、再生された楽曲を音声出力部１１から出力可能に構成されている。
【００１２】
楽曲選曲装置１は、図１に示すように、制御部１０と、通信部１２と、音声出力部１１と、表示部１３と、入力部１４と、記憶部１５とを備える。
制御部１０は、楽曲選曲装置１の各部を中枢的に制御するものであり、演算実行部としてのＣＰＵや、このＣＰＵに実行される基本制御プログラムをコンピューターに読み取り可能な形態で不揮発的に記憶するＲＯＭ、ＣＰＵに実行されるプログラムやこのプログラムに係るデータ等を一時的に記憶するＲＡＭ、その他の周辺回路等を備えている。
制御部１０は、後述する通信部１２を制御して、通信部１２を介して携帯端末２０から楽曲リストを取得する楽曲リスト取得部として機能する。制御部１０はまた、複数の携帯端末２０から、各携帯端末２０に記憶された所有者情報を取得する所有者情報取得部として機能する。制御部１０はまた、取得した所有者情報に基づいて楽曲リストから再生する楽曲を抽出して選曲し、再生する楽曲のリストを生成する再生リスト生成部としても機能する。
【００１３】
通信部１２は、図示は省略したが、楽曲選曲装置１と携帯端末２０との間の近距離無線通信を確立する機能を備え、近距離無線通信範囲以内に存在する携帯端末２０を検索し、検索された携帯端末２０との通信を確立する。通信部１２はまた、楽曲選曲装置１と、携帯端末２０とを繋ぐケーブルが接続される不図示のポートを備える。通信部１２は、制御部１０の制御のもと、携帯端末２０で再生される楽曲データの音声信号を制御部１０に出力する。
【００１４】
音声出力部１１は、図示は省略したが、Ｄ／Ａコンバータ、アンプおよびＡＵＸ端子を備え、制御部１０から入力される音声信号を変換、増幅して、ＡＵＸ端子に接続された外部スピーカー或いは車両のスピーカーを介して、音声として出力する。音声出力部１１は、或いは不図示のアンプに直接接続された内部スピーカーを備える構成としても良い。
表示部１３は、液晶表示パネルや有機ＥＬ（Ｅｌｅｃｔｒｏ  Ｌｕｍｉｎｅｓｃｅｎｃｅ）ディスプレイ等の不図示の表示パネルを備え、制御部１０の制御の下、表示パネルに、文字画像や、操作メニュー等の各種情報を表示する。
【００１５】
入力部１４は、楽曲選曲装置１に設けられた不図示の操作端子或いは、表示部１３の表示パネルに重ねて配設されたタッチパネルから構成され、楽曲選曲装置１のユーザーの端子或いはタッチパネルに対する操作を検出して制御部１０に出力する。
記憶部１５は、ハードディスクやＥＥＰＲＯＭ等の不揮発性メモリーを備え、各種データを書き換え可能に記憶する。記憶部１５には、制御部１０で生成された再生リストが記憶される。
【００１６】
図２は、楽曲選曲装置１に接続される携帯端末２０の概略構成を示すブロック図である。
図２に示すように、携帯端末２０は、端末側制御部２１と、端末側通信部２２と、端末側記憶部２３と、端末側音声出力部２４と、端末側表示部２５と、端末側入力部２６とを備える。
【００１７】
携帯端末２０は、携帯型の音響機器で、携帯端末２０に記憶された楽曲データを再生し、視聴することができる。
端末側制御部２１は、携帯端末２０の各部を中枢的に制御するものであり、演算実行部としてのＣＰＵや、このＣＰＵに実行される基本制御プログラムをコンピューターに読み取り可能な形態で不揮発的に記憶するＲＯＭ、ＣＰＵに実行されるプログラムやこのプログラムに係るデータ等を一時的に記憶するＲＡＭ、その他の周辺回路等を備えている。ＲＯＭには、携帯端末２０を一意に特定するための識別ＩＤが格納される。
【００１８】
携帯端末２０は、端末側通信部２２を介して、楽曲選曲装置１に接続可能に構成される。端末側通信部２２は、携帯端末２０と楽曲選曲装置１を繋ぐケーブルが接続される不図示のポートを備える。携帯端末２０はまた、端末側通信部２２を介して楽曲選曲装置１と近距離無線通信することができ、楽曲選曲装置１との間で各種データの送受信を行う。携帯端末２０が有線或いは無線を介して楽曲選曲装置１に接続された場合には、携帯端末２０は、楽曲選曲装置１の再生手段として機能する。
携帯端末２０は、楽曲選曲装置１の通信部１２によって検索された際に、端末側制御部２１の制御の下、端末側通信部２２を介して、楽曲選曲装置１に携帯端末２０の識別ＩＤを送信する。楽曲選曲装置１の制御部１０は、携帯端末２０から受信した携帯端末２０の識別ＩＤから携帯端末２０を特定し、携帯端末２０との通信を確立する。
【００１９】
端末側記憶部２３には、楽曲データ３１と、楽曲データ３１に記憶された複数の楽曲Ｘ１，Ｘ２・・・Ｘｎの楽曲情報をリストにした楽曲リスト３２と、携帯端末２０の所有者の情報である所有者情報３３とが記憶されている。楽曲データ３１は、楽曲Ｘ１，Ｘ２・・・Ｘｎの音声信号をデジタル信号として記憶している。
楽曲リスト３２には、楽曲データ３１に記憶された各楽曲Ｘ１，Ｘ２・・・Ｘｎに紐づけられ、該楽曲のアルバム名、アーティスト名、楽曲名などの楽曲情報が、図３に示すように、テーブルにリスト化されて記憶されている。楽曲リスト３２には、他に、各楽曲Ｘ１，Ｘ２・・・Ｘｎのジャンルや、アーティストの活動拠点、アーティストの年齢、再生された回数などが記憶されている構成としても良い。
所有者情報３３には、図４に示すように、携帯端末２０の所有者の住所、年齢、趣向する楽曲のジャンル、趣向するアーティスト名等の情報が記憶される。所有者情報３３に記憶された携帯端末２０の所有者に関する情報は携帯端末２０の所有者自らが、後述する端末側入力部２６を介して設定可能に構成されている。
【００２０】
端末側音声出力部２４は、Ｄ／Ａコンバータ、アンプおよびＡＵＸ端子を備え、端末側記憶部２３に記憶され楽曲データに係る音声信号が端末側制御部２１を介して端末側音声出力部２４に入力されると、端末側音声出力部２４は、入力された音声信号を変換、増幅して、ＡＵＸ端子に接続されたイヤフォンや外部スピーカー等を介して音声として出力する。
【００２１】
端末側表示部２５は、不図示の表示パネルを備え、端末側制御部２１の制御の下、表示パネルに、文字画像や、操作メニュー等の各種情報を表示する。端末側表示部２５にはまた、楽曲リスト３２に記憶されている楽曲情報が、端末側制御部２１の制御の下、リスト表示される。
端末側入力部２６は、携帯端末２０の不図示の操作端子或いは、端末側表示部２５の表示パネルに重ねて配設されたタッチパネルから構成され、ユーザーの端子或いはタッチパネルに対する操作を検出して端末側制御部２１に出力する。例えば、端末側表示部２５に楽曲リスト３２がリスト表示されている場合には、ユーザー（選曲者）は端末側入力部２６を操作して、楽曲リスト３２から再生を望む楽曲を選択し、視聴することが可能である。
【００２２】
携帯端末２０の端末側制御部２１はまた、端末側通信部２２を介して楽曲選曲装置１から入力される制御信号に基づいて、楽曲リスト３２を端末側通信部２２を介して楽曲選曲装置１に送信する。携帯端末２０はまた、端末側通信部２２を介して楽曲選曲装置１から入力される制御信号に基づいて、楽曲データ３１に記憶された楽曲を再生して、この楽曲の音声信号を、端末側通信部２２を介して楽曲選曲装置１にストリーミング送信する。
【００２３】
次に、楽曲選曲装置１の動作について図５のフローチャートを用いて説明する。
楽曲選曲装置１は、制御部１０の制御の下、通信部１２に楽曲選曲装置１の近距離無線通信範囲以内に存在する携帯端末２０を検索させる。制御部１０はまた、通信部１２に携帯端末２０が有線接続されたことを検出する。携帯端末２０が検索される、或いは有線接続されたことが検出されると、制御部１０は、通信部１２を介して、携帯端末２０の識別ＩＤを取得して、携帯端末２０を特定し、携帯端末２０との通信が確立できるか否かを判定する（ステップＳ１）。
【００２４】
制御部１０は、携帯端末２０との通信が確立できると判定すると（ステップＳ１：Ｙｅｓ）、通信部１２を介して、携帯端末２０に楽曲リスト３２と所有者情報３３を楽曲選曲装置１に送信するように制御信号を送り、携帯端末２０に記憶された楽曲Ｘ１，Ｘ２・・・Ｘｎに係る情報が記された楽曲リスト３２と、携帯端末２０の所有者の情報が記憶された所有者情報３３とを取得する（ステップＳ２）。
【００２５】
制御部１０は、楽曲選曲装置１との間で通信が確立しているすべての携帯端末２０Ｘ，２０Ｙ・・・２０Ｚから取得した楽曲リスト３２Ｘ，３２Ｙ・・・３２Ｚを集約して、図６に示す全楽曲リスト３４を生成する（ステップＳ３）。全楽曲リスト３４に挙げられている各楽曲のトラックＩＤは、その楽曲Ｘ１，Ｘ２・・・Ｘｎが記憶されている携帯端末２０の識別ＩＤに紐づけられている。
次に、制御部１０は、各携帯端末２０Ｘ，２０Ｙ・・・２０Ｚから取得したそれぞれ所有者情報３３Ｘ，３３Ｙ・・・３３Ｚのいずれかの所有者情報に基づいて、全楽曲リスト３４の中から、この所有者情報に合う楽曲を抽出して選曲する。制御部１０は、各所有者情報３３Ｘ，３３Ｙ・・・３３Ｚのそれぞれの所有者情報に合う楽曲を抽出して選曲し、図７に示すように、各携帯端末２０の再生リスト３５Ｘ，３５Ｙ・・・３５Ｚを生成する（ステップＳ４）。生成された再生リスト３５は、一時的に記憶部１５に記憶される。
【００２６】
再生リスト３５の生成にあたり、制御部１０は、それぞれの携帯端末２０から取得した所有者情報３３に基づいて当該所有者の住所と同じ地域を活動地域とするアーティストの楽曲、所有者の年齢と同世代のアーティストの楽曲、所有者の趣向するジャンルの楽曲、所有者が趣向するアーティストの楽曲等の条件に該当する楽曲を全楽曲リスト３４から抽出して選曲する。この構成によれば、他の所有者が所有する携帯端末２０に記憶されている楽曲リストの中からも、当該所有者の所有者情報に合う楽曲が抽出され選曲されるため、各所有者は、他の所有者の携帯端末に記憶された、自分の携帯端末２０には記憶されていない自分の趣向に合う楽曲も楽しむことができるため、利便性が向上する。
制御部１０はまた、各所有者情報３３Ｘ，３３Ｙ・・・３３Ｚに記憶されている情報をＡＮＤで繋げた楽曲の抽出条件を生成し、この抽出条件に基づいて全楽曲リスト３４の中からすべての所有者情報に合う楽曲を抽出し選曲して再生リストを生成する構成としても良い。この構成によれば、同一居室内にいるすべての所有者が再生を望むであろう楽曲を再生することができる。
【００２７】
所有者情報３３にはまた、その所有者の携帯端末２０で再生された回数の多い楽曲、アーティスト、ジャンル等の再生情報が記憶されており、これらの再生情報も楽曲リストの中から再生する楽曲を抽出し選曲するのに用いられる構成としても良い。
生成された再生リスト３５は、再生リスト３５の楽曲情報に紐づけられた識別ＩＤに基づいて、対応する携帯端末２０、つまり再生する楽曲が記憶されている携帯端末２０に通知される（ステップＳ５）。
携帯端末２０は、楽曲選曲装置１から再生リスト３５の通知を受けると、再生リスト３５に挙げられている楽曲を再生リスト３５に記されている順番で再生し、この楽曲の音声信号を、端末側通信部２２を介して楽曲選曲装置１にストリーミング送信する。楽曲選曲装置１は、ストリーミング形式で受信する音声信号を、制御部１０の制御の下、音声出力部１１に入力して、音声として出力する。
【００２８】
各再生リスト３５に記される楽曲の順番は、制御部１０によって任意の順番に並べられる構成であっても良いし、携帯端末２０から受信した楽曲リスト３２に記されている楽曲の順番に対応している構成としても良い。
制御部１０は、楽曲選曲装置１との通信が確立されている複数の携帯端末２０Ｘ，２０Ｙ・・・２０Ｚのうち、どの携帯端末２０に記憶されている楽曲から再生を行うかを選択する。どの携帯端末２０に記憶されている楽曲から再生を行うかは、或いは、楽曲選曲装置１の入力部１４を介していずれかの所有者が指定した順番に応じる構成としても良い。制御部１０が選択した順番、或いはいずれかの所有者によって指定された順番で、制御部１０は、携帯端末２０に再生リスト３５を通知する。携帯端末２０が再生リスト３５に記されているすべての楽曲の再生を終了したことを、制御部１０が検出する、或いは、携帯端末２０から通知されると、制御部１０は、次に楽曲の再生をさせる携帯端末２０にこの携帯端末２０に記憶されている楽曲の再生リスト３５を通知する。
【００２９】
制御部１０は、すべての楽曲選曲装置１との通信が確立しているすべての携帯端末２０で再生リスト３５に記された楽曲の再生が終了したことを検出した場合には、再び、最初の携帯端末２０に再生リスト３５を通知し、楽曲の再生を継続する構成であっても良いし、或いは、すべての携帯端末２０での楽曲の再生が終了した場合には、楽曲の再生を停止する構成としても良い。
【００３０】
また、制御部１０は、携帯端末２０に再生リスト３５を一括して通知するのではなく、再生リスト３５に記されている楽曲を一つずつ携帯端末２０に通知して再生させる構成としても良い。この構成によれば、携帯端末２０Ｘで一曲再生した後に、携帯端末２０Ｙに次の楽曲を再生させることもでき、他の所有者の携帯端末２０に記憶されている楽曲が続けて再生されることがないため、各携帯端末２０の所有者の趣向が異なる場合にも、それぞれの所有者を飽きさせることなく、各携帯端末２０に記憶されている種々の楽曲を再生することができる。
【００３１】
以上説明したように、本実施形態によれば、楽曲選曲装置１は、複数の携帯端末２０と通信し、各携帯端末２０に記憶された楽曲のリスト３２と、携帯端末２０のそれぞれの所有者情報３３とを取得し、楽曲リスト３２の中から各携帯端末２０の所有者の年齢や趣向する楽曲のジャンル等の所有者情報３３に合う楽曲を抽出して選曲するため、いずれかの所有者が再生する楽曲を例えば入力部１４を介して選択するなどの煩わしい作業を省いて、各所有者に合う楽曲を選曲することができ、楽曲選曲装置１の利便性を向上することができる。
【００３２】
また、本実施形態によれば、各携帯端末２０の所有者情報３３は、各携帯端末２０に記憶されており、楽曲選曲装置１は、携帯端末２０との通信が確立した際にこの所有者情報３３を取得する。そのため、楽曲選曲装置１は、不特定多数の人が集まる場所に設置して利用し、楽曲選曲装置１との通信が確立している不特定の人が所有する携帯端末２０に記憶されている楽曲を再生させることが可能となる。この場合、携帯端末２０は、楽曲選曲装置１との通信の確立を行わない設定をすることも可能な構成であっても良い。
【００３３】
また、本実施形態によれば、楽曲選曲装置１の制御部１０は、全楽曲リストから抽出し選曲した楽曲を、その楽曲が記憶されている携帯端末２０に通知し、携帯端末２０にこの楽曲を再生させるため、楽曲データを楽曲ごとにダウンロードしてから再生する必要がなく、楽曲の再生にかかる待ち時間を短縮することができるとともに、楽曲をダウンロードするための余分なメモリースペースを確保する必要がない。
【００３４】
＜第二実施形態＞
次に、第二実施形態について説明する。なお、以下の説明について、上述した第一実施形態と同一の構成要素については、同一の符号を付してその説明を省略する。
楽曲選曲装置１００は、同一居室内を複数の居住空間に区分けした場所に設置される。本実施形態においては、居室内を前部座席ゾーンと後部座席ゾーンとに区分けした車両に搭載された場合について説明する。
【００３５】
楽曲選曲装置１００は、図８に示すように、第一表示部５３と、第二表示部５４とを備える。第一表示部５３は、車両の前部座席ゾーン側、例えば車両のダッシュボード上に設けられ、楽曲選曲装置１００の本体と一体に形成されていても良い。第二表示部５４は、車両の後部座席ゾーン側に設けられ、後部座席においても映像情報を見ることができるように、後部座席ゾーン専用の表示部として利用される。
楽曲選曲装置１００は、また、第一音声出力部５１と、第二音声出力部５２とを備える。第一音声出力部５１は、図示は省略したが、Ｄ／Ａコンバータ、アンプを備え、車両に搭載された不図示のスピーカーに接続されている。第一音声出力部５１は、入力された音声信号を、変換、増幅して、車両に搭載されたスピーカーを介して音声として居室内に出力する。第二音声出力部５２は、図示は省略したが、Ｄ／Ａコンバータ、アンプ、ＡＵＸ端子を備え、入力された音声信号を、変換、増幅して、ＡＵＸ端子に接続されるイヤフォン等から音声として出力する。第二音声出力部５２のＡＵＸ端子は後部座席ゾーン専用に設置される第二表示部５４に設けられる構成としても良い。
【００３６】
楽曲選曲装置１００は、記憶部５０を備え、記憶部５０には、車両に搭乗している搭乗者の情報が各搭乗者が搭乗しているゾーンに対応づけて記憶されている。記憶部５０は、前部座席ゾーンに搭乗する搭乗者の情報を記憶する第一ゾーン搭乗者情報５５と、後部座席ゾーンに搭乗する搭乗者の情報を記憶する第二ゾーン搭乗者情報５６とを備える。第一ゾーン搭乗者情報５５には、前部座席ゾーンに搭乗している各搭乗者の年齢、性別、趣向する楽曲のジャンル等が記憶されている。第二ゾーン搭乗者情報５６には、後部座席ゾーンに搭乗している各搭乗者の年齢、性別、趣向する楽曲のジャンル等を記憶している。
【００３７】
記憶部５０に記憶される第一ゾーン搭乗者情報５５及び第二ゾーン搭乗者情報５６は書き換え自在に記憶され、入力部１４を介して車両の搭乗者が登録することができる。第一ゾーン搭乗者情報５５及び第二ゾーン搭乗者情報５６は、車両のいずれかの搭乗者が、搭乗者が代わるたびに毎回設定する構成であっても良い。或いは、記憶部５０に、何パターンかの第一ゾーン搭乗者情報５５及び第二ゾーン搭乗者情報５６を記憶させて、車両の搭乗者、或いは各搭乗者が搭乗するゾーンが代わった場合に、記憶部５０に記憶されたパターンの中から今回の車両の搭乗者に合う設定を選択する構成であっても良い。
【００３８】
楽曲選曲装置１００は、車両に搭乗している各搭乗者が所有する携帯端末２０と通信を確立することができる。制御部１０は、楽曲選曲装置１００との通信が確立している各携帯端末２０から楽曲リスト３２を受信し、受信した楽曲リスト３２を集約して全楽曲リスト３４を生成する。制御部１０は、図９に示すように、全楽曲リスト３４から、第一ゾーン搭乗者情報５５に記憶された前部座席ゾーンに搭乗している搭乗者の情報に基づいて、前部座先ゾーンに搭乗している搭乗者の情報に合った楽曲を抽出し選曲して、前部座席用の再生リスト３６を生成する。制御部１０はまた、全楽曲リスト３４から、第二ゾーン搭乗者情報５６に記憶された後部座席ゾーンに搭乗している搭乗者の情報に基づいて、後部座先ゾーンに搭乗している搭乗者の情報に合った楽曲を抽出し選曲して、後部座席用の再生リスト３７を生成する。
【００３９】
制御部１０は、再生リスト３６，３７の楽曲情報に紐づけられた識別ＩＤに基づいて、各携帯端末２０の再生リスト３６Ｘ，３６Ｙ・・・３６Ｚ及び再生リスト３７Ｘ，３７Ｙ・・・３７Ｚを生成し、対応する携帯端末２０に通知する。制御部１０は、前部座席ゾーン用の再生リスト３６Ｘ，３６Ｙ・・・３６Ｚと、再生リスト３７Ｘ，３７Ｙ・・・３７Ｚと、を各携帯端末２０に通知する際に、前部座席用の再生リストと、後部座席ゾーン用の再生リストとが、同じ携帯端末２０に同時に通知されないように通信部１２を制御する。
【００４０】
詳述すると、制御部１０は、例えば、通信部１２を介して、携帯端末２０Ｘに前部座席ゾーン用の再生リスト３６Ｘを通知し、携帯端末２０Ｙに後部座席ゾーン用の再生リスト３７Ｙを通知し、携帯端末２０Ｘに再生リスト３６Ｘに記された楽曲を、携帯端末２０Ｙに再生リスト３７Ｙに記された楽曲を再生させる。制御部１０は、各携帯端末２０Ｘ，２０Ｙで再生される楽曲の音声信号をストリーミング形式で受信し、携帯端末２０Ｘから受信した音声信号を第一音声出力部５１に出力する。
【００４１】
制御部１０はまた、各携帯端末２０が通知された再生リストの再生を終了したことを検出すると、各携帯端末２０との通信状態から、現在楽曲の再生が行われていない、或いは、楽曲選曲装置１００に音声信号の送信をしていない携帯端末２０を検出する。制御部１０は、検出した携帯端末２０に、この携帯端末２０に記憶されている楽曲の再生リストを通知して、楽曲を再生させる。例えば、携帯端末２０Ｙが後部座席ゾーン用の再生リスト３７Ｙを再生中に、携帯端末２０Ｘに送信した前部座席ゾーン用の再生リスト３６Ｘの再生を携帯端末２０Ｘが終了したことを検出すると、制御部１０は、現在楽曲の再生を行っていない携帯端末２０Ｚを検出し、携帯端末２０Ｚに前部座席用の再生リスト３６Ｚを通知し、携帯端末２０Ｚに楽曲を再生させる。
【００４２】
これらの構成によれば、前部座席用の再生リスト３６と、後部座席ゾーン用の再生リスト３７とが、同じ携帯端末２０に同時に通知されることがないため、携帯端末２０がどちらか一方のゾーン用の再生リストを再生し、他方のゾーン用の再生リストの再生は、先に再生された一方のゾーン用の再生リストの再生が終了するまで保留されるといったことがなく、各ゾーンに搭乗しているそれぞれの搭乗者を待たせることなく搭乗者に合った楽曲の再生を行うことができる。
【００４３】
第一音声出力部５１は、受信した音声信号を車両に搭載された不図示のスピーカーを介して音声として出力する。第一音声出力部５１を介して車両のスピーカーから出力される楽曲は、前部座席ゾーンに搭乗している搭乗者の情報に合わせて制御部１０によって抽出し選曲された楽曲である。
第二音声出力部は、受信した音声信号を楽曲選曲装置１００のＡＵＸ端子に接続されたイヤフォン等を介して音声として出力する。第二音声出力部５２を介して楽曲選曲装置１００のＡＵＸ端子に接続されたイヤフォン等から出力される楽曲は、後部座席ゾーンに搭乗している搭乗者の情報に合わせて制御部１０によって抽出し選曲された楽曲である。
【００４４】
以上説明したように、本実施形態によれば、車両に搭載され、車両の居室を前部座席ゾーンと後部座席ゾーンとに区分けし、車両の搭乗者の情報を各搭乗者が搭乗するゾーンに対応付けて記憶し、通信が確立している携帯端末２０に記憶されている楽曲のリストの中から、各ゾーンの搭乗者に合う楽曲を当該ゾーンに搭乗している搭乗者の情報に基づいて抽出し、選曲する。そのため、前部座席ゾーンに搭乗している搭乗者に合う楽曲と、後部座席ゾーン搭乗している搭乗者に合う楽曲とをそれぞれ抽出し選曲して、前部座席ゾーンに搭乗している搭乗者に合う楽曲を前部座席ゾーンで再生し、後部座席ゾーン搭乗している搭乗者に合う楽曲を後部座席ゾーンで再生することができる。これによって、例えば、前部座席ゾーンに搭乗する親世代の搭乗者と、後部座席ゾーン搭乗する子世代の搭乗者とがそれぞれ自分たちの趣向に合った楽曲を全楽曲リスト３４から選ぶという煩わしい作業をすることなく、各ゾーンの搭乗者に合った楽曲が、各ゾーンで再生され、楽曲選曲装置１００の利便性が向上する。
【符号の説明】
【００４５】
１、１００  楽曲選曲装置
１０  制御部
１１  音声出力部
１２  通信部
２０  携帯端末（再生手段）
２１  端末側制御部
２２  端末側通信部
２３  端末側記憶部
３１  楽曲データ
３２  楽曲リスト（リスト）
３３  所有者情報
５１  第一音声出力部
５２  第二音声出力部
５５  第一ゾーン搭乗者情報
５６  第二ゾーン搭乗者情報
【図１】
2012163609.tif 000003
【図２】
2012163609.tif 000004
【図３】
2012163609.tif 000005
【図４】
2012163609.tif 000006
【図５】
2012163609.tif 000007
【図６】
2012163609.tif 000008
【図７】
2012163609.tif 000009
【図８】
2012163609.tif 000010
【図９】
2012163609.tif 000011